(57)【要約】【課題】リールシート本体の雄ねじ部と筒部部品とを同心状に固定すると共に、釣り使用時の隙間発生を防止する。【解決手段】繊維強化合成樹脂製竿杆１０を挿通させ、リール載置面１２Ｂを有し、構造用合成樹脂材によって形成されたリールシート本体１２を設け、該本体の一端部１２Ｅに、移動フードを前後動させるナット部材１６の内周雌ねじに螺合する雄ねじ部を設け、該雄ねじ部の端部と前後方向に対向する側に、天然か人工のコルク材又は発泡性合成樹脂材によって形成された後部又は前部のグリップ部２４を設けており、該グリップ部の端面を保護すべく、グリップ部の部材よりも硬質な部材で該端面に当接させた保護当接部２６Ａに連続し、前記雄ねじ部端部に向かって竿杆を覆うように突出した筒部２６Ｂの端部が、前記雄ねじ部端部と長手方向に重合していると共に、少なくとも該端部近くは前記ナット部材の雌ねじの山の内口径以下の外径であるよう構成する。【選択図】        図１
2004321084.tif 000002
【特許請求の範囲】
【請求項１】
繊維強化合成樹脂製竿杆を挿通させ、リール載置面を有し、構造用合成樹脂材によって形成されたリールシート本体を設け、該本体の一端部に、移動フードを前後動させるナット部材の内周雌ねじに螺合する雄ねじ部を設け、該雄ねじ部の端部と前後方向に対向する側に、天然か人工のコルク材又は発泡性合成樹脂材によって形成された後部又は前部のグリップ部を設けており、該グリップ部の端面を保護すべく、グリップ部の部材よりも硬質な部材で該端面に当接させた保護当接部に連続し、前記雄ねじ部端部に向かって竿杆を覆うように突出した筒部の端部が、前記雄ねじ部端部と長手方向に重合していると共に、少なくとも該端部近くは前記ナット部材の雌ねじの山の内口径以下の外径であることを特徴とする釣竿。
【発明の詳細な説明】
【０００１】
【発明の属する技術分野】
本発明は、リール固定装置を有する釣竿に関する。
【０００２】
【従来の技術】
リール装着式の釣竿では、構造用合成樹脂材（発泡性でなく、ＡＢＳやナイロン等の樹脂材）で形成したリールシート本体を、繊維強化樹脂製竿杆外側に套嵌させ、接着固定したリール固定装置にリールを固定して釣りを行う。このリールの固定では、一対のフードの少なくとも一方が移動フードであり、この移動フードに係合して、これを前後に移動させるナット部材が設けられている。このナット部材はリールシート本体の端部に設けた雄ねじ部に螺合して作動する。一般に、リール固定装置部の後方や前方には、柔軟部材で形成されたグリップ部が設けられていることが多いが、このグリップ部の部材はコルク材や発泡性合成樹脂材であるため、端部が脆い。そこでここを保護する金属や構造用合成樹脂材の硬質な部材を突き合わせ当接させている。通常、この当接部から筒部が延伸突出して近くの竿杆を覆っている。この筒部端面は、前記雄ねじ部端面に対して突き合わされている。こうした例が下記特許文献１に開示されている。
【特許文献１】
特開平１１−１５５４３０号公報
【０００３】
【発明が解決しようとする課題】
然しながら、単に雄ねじ部端部と筒部端部の突き合わせ構造を採用すると、夫々の部品の内径は竿杆外径よりも大きいため、雄ねじ部を有するリールシート本体と筒部を有する部品とを、夫々、竿杆表面に対して接着固定する場合に、互いに偏心して固定される虞がある。
また、魚が掛かって釣竿が大きく撓んだ際には、リール固定装置部近くも撓みが生じ得る。この場合、この突き合わせ境界部に隙間が生じてその隙間に手の肉部が挟まれる等の虞もある。
依って本発明は、リールシート本体の雄ねじ部と筒部部品とを同心状に固定すると共に、釣り使用時の隙間発生防止を目的とする。
【０００４】
【課題を解決するための手段】
上記目的に鑑みて本発明の請求項１では、繊維強化合成樹脂製竿杆を挿通させ、リール載置面を有し、構造用合成樹脂材によって形成されたリールシート本体を設け、該本体の一端部に、移動フードを前後動させるナット部材の内周雌ねじに螺合する雄ねじ部を設け、該雄ねじ部の端部と前後方向に対向する側に、天然か人工のコルク材又は発泡性合成樹脂材によって形成された後部又は前部のグリップ部を設けており、該グリップ部の端面を保護すべく、グリップ部の部材よりも硬質な部材で該端面に当接させた保護当接部に連続し、前記雄ねじ部端部に向かって竿杆を覆うように突出した筒部の端部が、前記雄ねじ部端部と長手方向に重合していると共に、少なくとも該端部近くは前記ナット部材の雌ねじの山の内口径以下の外径であることを特徴とする釣竿を提供する。
【０００５】
リールシート本体の雄ねじ部端部と、グリップ部端部の保護当接部から突出した筒部の端部とを、長手方向に重合させているため、雄ねじ部端部と筒部端部との同心状の固定が可能になると共に、ここの隙間防止ができる。また、筒部の重合部近くはナット部材の内口径以下の外径であるため、緩めたナット部材がこの重合部位置よりも更に保護当接部方向に退避できる。
【０００６】
【発明の実施の形態】
以下、本発明を添付図面に示す実施形態例に基づき、更に詳細に説明する。
図１は本発明に係る釣竿の一例としてのスピニングリール専用ルアーロッドのリール固定装置部近くの縦断面図であり、図２は更にその要部の拡大図である。エポキシ樹脂等の合成樹脂をマトリックスとし、炭素繊維等の強化繊維で強化した繊維強化樹脂製竿管１０の後方所定位置に、リール載置面１２Ｂを有し、ＡＢＳやナイロン等の構造用合成樹脂材で形成したリールシート本体１２が接着固定されている。
【０００７】
このリールシート本体１２の後側小径部１２Ｅは、前記リール載置面よりも低い小径筒部に形成されており、雄ねじ１２Ｍ（図２）が設けられている。また、リールシート本体の前側端部であって、前記リール載置面の前端部には固定フード１２Ａが一体に設けられている。また、リール載置面の後端部側には、移動フード１４が設けられており、該移動フードは前記雄ねじと螺合する雌ねじ１６Ｍ（図２）を有するナット部材１６と係合しており、このナット部材の回動によって前後移動が可能である。
【０００８】
一方、リールシート本体中心部には、リール載置面の後端部付近位置に底を有する深穴１２Ｃが前端から形成されている。更には、リールシート本体のリール載置面とは径方向反対側から側部にかけて段差状に薄く形成した薄肉部１２Ｄが形成されており、その段差縁を２点鎖線で示している。更には、前記固定フードの根元部（リールシート本体の前端部）は、固定フードの幅領域（全円周ではなく、円周の一部）において前端程拡径した穴１２Ｆが設けられている。
【０００９】
深穴１２Ｃ内には、その底面近くから、竿管との間に発泡性合成樹脂の層１８を設けている。更には、この層はリールシート本体の前端よりも前方適宜距離にまで延伸している。この発泡性合成樹脂材としては、例えば、（硬質）ウレタン樹脂があり、他の発泡性合成樹脂材のＥＶＡ等と比較して押し潰しに対して強い（硬度が高い）が、発泡性のために、非発泡性のリールシート本体の部材に比較して軽量である。発泡性合成樹脂の層１８の延伸部の外側には、前側グリップとして、天然か人工のコルク材又はＥＶＡ等の発泡性合成樹脂材によって形成した柔軟なグリップ部材２０が設けられている。
【００１０】
このグリップ部材２０は後方側に延伸し、前記薄肉部１２Ｄ上に設けられた延伸部２０Ａを形成している。該延伸部はリール載置面の径方向反対側が最も膨出しており、把持した場合にこの膨出部が掌内に納まって把持感がよい。以上の、竿管１０、発泡性合成樹脂の層１８、リールシート本体１２、グリップ部材２０（２０Ａ）は、各当接境界面が接着固定されている。
【００１１】
グリップ部材２０と発泡性合成樹脂の層１８の前端部には、前端面を保護すべく、金属や構造用合成樹脂によって形成した環状部材２２を設けている。リールシート本体１２の後端面の後方領域には、天然か人工のコルク材又はＥＶＡ等の発泡性合成樹脂材によって形成した柔軟な後側グリップ部材２４が設けられ、後側グリップを構成している。このグリップ部材前端面を保護すべく、金属や構造用合成樹脂によって形成した環状の保護当接部２６Ａを有し、その中心側にはより小径の筒部２６Ｂを突出形成した部品２６が設けられている。
【００１２】
この部品の前端環状部２６Ｃは、リールシート本体１２の後側小径部１２Ｅの後端部外周に重合させている。筒部の外径はナット部材１６の雌ねじの山の内口径以下であるため、ナット部材が通過可能である。しかし、環状の保護当接部２６Ａの外径は大きく、ナット部材が当接し、停止する。また、環状の保護当接部２６Ａの後側グリップ部材側端面は、２点鎖線で示すように中心部が、後側グリップ部材の端面から離れる側に窪む形状であれば、その周縁部において、後側グリップ部材の端面に対して隙間が生じ難い。
【００１３】
部品２６の前端環状部２６Ｃが、リールシート本体１２の後側小径部１２Ｅの後端部外周に重合していると、釣竿が撓んだ際にここに隙間が生じ難い。また、製造時に、部品２６とリールシート本体１２（の後側小径部１２Ｅ）との偏心を防止して竿杆１０に接着固定できるため、ナット部材が円滑に前後動できる。従って、この例とは逆に、リールシート本体の後側小径部１２Ｅの後端外周部に環状部を設け、この環状部が部品２６の先端部外周に被るように重合してもよい。
【００１４】
前後のフードにリール足を固定させて釣りを行う場合、通常このリール固定装置部を把持するが、リール載置面の径方向反対側に延伸している前側グリップの延伸部２０Ａの存在により、把持感がよい。また、魚が掛かった際には竿管が撓むが、リール載置面１２Ｂの後端部位近くから前側に位置するリール固定装置部領域の竿管の直ぐ外側には、リールシート本体１２ではなく、発泡性合成樹脂の層１８が配設されているため、この領域の竿管も撓み易い。従って、把持手には竿管の撓みが感じられ、釣りを楽しむことができる。
【００１５】
また、リールシート本体の前端部の固定フード側には既述の穴１２Ｆが存在し、固定フードを除いた円周部位は既述の薄肉部であるため、撓みの際にこの前端部において竿管に及ぼす応力集中は小さくなる。更には、このリールシート本体よりも前側適宜長さに、発泡性合成樹脂の層１８とグリップ部材２０のみが延伸して、撓み難いリールシート本体１２は延伸していないため、リールシート本体の存在領域よりは撓み易く、しかも、竿管のみの前方領域よりも幾分か撓み剛性が高い。即ち、リールシート本体領域、この前側延伸領域、そして前方の竿管のみの領域というように、順次曲げ剛性が低くなっており、リール固定装置部の前端部竿管において急に撓み剛性が低下し、応力が集中して竿管が折損することが防止される
【００１６】
以上の竿管１０は中空管であるが、中実の竿杆でもよい。また、釣竿はルアーロッドに限らない。更には、移動フード１４と固定フード１２Ａが前後逆に設けられており、延伸部２０Ａと分離された前側グリップ２０の手前側に、部品２６に相当する部品を設ける場合もある。また、部品の筒部２６Ｂは円筒でなく、円錐台形状であってもよい。
【００１７】
【発明の効果】
以上の説明から明らかなように本発明によれば、リールシート本体の雄ねじ部と筒部部品とを同心状に固定できると共に、釣り使用時の隙間発生が防止できる。
【図面の簡単な説明】
【図１】図１は、本発明に係る釣竿要部の縦断面図である。
【図２】図２は、図１の要部の拡大図である。
【符号の説明】
１０                    竿管
１２                    リールシート本体
１２Ｅ                  後側小径部
１８                    発泡性合成樹脂材の層
２０                    前側グリップ部材
２４                    後側グリップ部材
２６Ｂ                  筒部
２６Ｃ                  前端環状部
【図１】
2004321084.tif 000003
【図２】
2004321084.tif 000004